(57)【要約】【課題】  被検体に、少なくとも一部のパルス波形が異なるパルス光を複数回にわたって照射することで、検出される音響波の周波数帯域を広くすることができる光音響装置を提供すること。【解決手段】  複数の光照射部から照射されるパルス光のパルス波形が互いに異なるように複数の光照射部を制御する制御部を有する光音響装置。【選択図】  図２
2019042003.tif 000002
【特許請求の範囲】
【請求項１】
パルス光を被検体に照射する複数の光照射部と、
前記複数の光照射部から前記被検体に略同時にパルス光が照射されるように前記複数の光照射部を制御する制御部と、
前記被検体にパルス光が照射されることによって生じる音響波を受信して電気信号に変換する受信部と、
前記電気信号に基づいて、前記被検体に関する情報を取得する取得部と、
を有する光音響装置であって、
前記制御部は、前記複数の光照射部から照射されるパルス光のパルス波形が互いに異なるように、前記光照射部を制御することを特徴とする光音響装置。
【請求項２】
前記制御部は、前記複数の光照射部から照射されるパルス光のパルス幅が互いに異なるように、前記光照射部を制御することを特徴とする請求項１に記載の光音響装置。
【請求項３】
前記パルス幅が、１０ｎｓ以上、１μｓ以下であることを特徴とする請求項２に記載の光音響装置。
【請求項４】
前記パルス幅が、１００ｎｓ以上、８００ｎｓ以下であることを特徴とする請求項３に記載の光音響装置。
【請求項５】
前記制御部は、前記複数の光照射部から照射されるパルス光のピーク強度が互いに異なるように、前記光照射部を制御することを特徴とする請求項１乃至４のいずれか一項に記載の光音響装置。
【請求項６】
前記光照射部が、パルス光を発生させる光源部を含み構成されていることを特徴とする請求項１から５のいずれか一項に記載の光音響装置。
【請求項７】
前記光源部は、複数の半導体発光素子を含み構成されていることを特徴とする請求項６に記載の光音響装置。
【請求項８】
前記制御部は、前記複数の半導体発光素子の発光強度を制御することで、前記パルス光のピーク強度を制御することを特徴とする請求項７に記載の光音響装置。
【請求項９】
前記制御部は、前記複数の半導体発光素子のうち発光させる発光素子の個数を制御することで、前記パルス光のピーク強度を制御することを特徴とする請求項７に記載の光音響装置。
【請求項１０】
前記取得部は、前記複数の光照射部が複数回発光することで受信される音響波に基づいて得られる複数の電気信号を加算し、前記光照射部の発光回数で除する処理を行うことを特徴とする請求項１乃至９のいずれか一項に記載の光音響装置。
【発明の詳細な説明】
【技術分野】
【０００１】
本発明は、光音響装置に関する。
【背景技術】
【０００２】
近年、光を利用したイメージング技術として、光音響効果を利用して被検体の内部を画像化する光音響装置が研究・開発されている。光音響装置は、被検体に照射された光のエネルギーを吸収した光吸収体から光音響効果により発生する超音波（光音響波）に基づいて、被検体に関する情報を取得する装置である。
【０００３】
特許文献１には、音響波を検出する検出部の周波数帯域に適合するように、光源部から照射される光パルス波形の立ち上がりの傾きと立ち下がりの傾きとの比を設定する光音響画像化装置を開示している。
【先行技術文献】
【特許文献】
【０００４】
【特許文献１】特開２０１７−４６８２３号公報
【発明の概要】
【発明が解決しようとする課題】
【０００５】
特許文献１では、検出部の検出周波数の範囲を広くするために、傾きの比の絶対値を大きくすることを開示している。しかし、検出周波数を変えるためのパラメータは傾きの比のみであり、検出周波数の広帯域化には限界があった。
【課題を解決するための手段】
【０００６】
本発明に係る光音響装置は、パルス光を被検体に照射する複数の光照射部と、前記複数の光照射部から前記被検体に同時にパルス光が照射されるように前記複数の光照射部を制御する制御部と、前記被検体にパルス光が照射されることによって生じる音響波を受信して電気信号に変換する受信部と、前記電気信号に基づいて、前記被検体に関する情報を取得する取得部と、を有する光音響装置であって、前記制御部は、前記複数の光照射部から照射されるパルス光のパルス波形が互いに異なるように、前記光照射部を制御することを特徴とする。
【発明の効果】
【０００７】
本発明に係る光音響装置によれば、被検体に、少なくとも一部のパルス波形が異なるパルス光が照射されることで、検出される音響波の周波数帯域を広くすることができる。その結果、被検体に分布する光吸収体のうち、低周波数に対応するサイズの大きい物質から、高周波数に対応するサイズの小さい物質の情報まで取得することができる。また、パルス波形の種類を増やすことで、検出される音響波の周波数帯域をさらに広くすることができる。
【図面の簡単な説明】
【０００８】
【図１】本発明の実施形態に係る光音響装置の作用効果を説明するための図
【図２】本発明の実施形態に係る光音響装置を説明するためのブロック図
【図３】本発明の実施形態に係るプローブの構造を示す図
【図４】本発明の実施形態における駆動部の構成の一例を示す図
【図５】本発明の実施形態におけるコンピュータ構成の一例を示す図
【図６】本発明の実施形態における光音響装置の制御の一例を説明するための図
【発明を実施するための形態】
【０００９】
以下に図面を参照しつつ、本発明の実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１０】
本実施形態は、被検体から伝搬する音響波を検出し、被検体内部の特性情報を生成し、取得する技術に関する。よって本実施形態は、被検体情報取得装置またはその制御方法、あるいは被検体情報取得方法や信号処理方法としても捉えることができる。本実施形態はまた、被検体内部の特性情報を示す画像を生成し表示する表示方法として捉えられる。本実施形態はまた、これらの方法をＣＰＵやメモリ等のハードウェア資源を備える情報処理装置に実行させるプログラムや、そのプログラムを格納した、コンピュータにより読み取り可能な非一時的な記憶媒体としても捉えられる。
【００１１】
本実施形態に係る被検体情報取得装置は、複数の光照射部により光パルス（電磁波）を照射し、受信した光音響信号に基づいて被検体の特性情報を画像データとして取得する光音響効果を利用した光音響イメージング装置を含む。さらに、本実施形態に係る被検体情報取得装置は、光照射部の内、少なくとも２種類以上の光パルス波形を同時に発光することによって、所望の光音響信号の周波数特性に基づく情報を得ることを実現する光音響装置である。この場合、特性情報とは、受信された光音響波に由来する信号を用いて生成される、被検体内の複数位置のそれぞれに対応する特性値の情報である。
【００１２】
本実施形態に係る光音響画像データは、光照射により発生した光音響波に由来するあらゆる画像データを含む概念である。例えば、光音響画像データは、光音響波の発生音圧（初期音圧）、吸収エネルギー密度、及び吸収係数、被検体を構成する物質の濃度（酸素飽和度など）などの少なくとも１つの被検体情報の空間分布を表す画像データである。なお、互いに異なる複数の波長の光照射により発生する光音響波に由来する信号（光音響信号）に基づきき、被検体を構成する物質の濃度などの、分光情報を示す光音響画像データが得られる。分光情報を示す光音響画像データは、酸素飽和度、酸素飽和度に吸収係数等の強度を重み付けした値、トータルヘモグロビン濃度、オキシヘモグロビン濃度、またはデオキシヘモグロビン濃度であってもよい。また、分光情報を示す光音響画像データは、グルコース濃度、コラーゲン濃度、メラニン濃度、または脂肪や水の体積分率であってもよい。
【００１３】
被検体内の各位置の特性情報に基づいて、二次元または三次元の特性情報分布が得られる。分布データは画像データとして生成され得る。特性情報は、数値データとしてではなく、被検体内の各位置の分布情報として求めてもよい。すなわち、初期音圧分布、エネルギー吸収密度分布、吸収係数分布や酸素飽和度分布などの分布情報である。
【００１４】
本実施形態は、複数の光照射部の内、少なくとも２種類以上の光パルス波形で同時に発光し、被検体に照射し、得られた光音響信号に基づく情報を得ることを要旨とした発明である。そのような構成によって、光照射により発生する光音響波の周波数スペクトル、すなわち、光音響波を電気信号に変換した光音響信号の周波数特性を所望の特性とすることができる。
【００１５】
本実施形態でいう音響波とは、典型的には超音波であり、音波、音響波と呼ばれる弾性波を含む。トランスデューサ等により音響波から変換された電気信号を音響信号とも呼ぶ。ただし、本明細書における超音波または音響波という記載は、それらの弾性波の波長を限定する意図ではない。光音響効果により発生した音響波は、光音響波または光超音波と呼ばれる。光音響波に由来する電気信号を光音響信号とも呼ぶ。分布データは、光音響画像データや再構成画像データとも呼ばれる。
【００１６】
以下の実施形態では、被検体情報取得装置として、被検体に複数回光パルスを照射し、被検体からの光音響波を受信し、被検体内の情報（例えば、血管画像（構造画像））を取得する光音響装置を取り上げる。しかし、本実施形態に係る光音響装置の効果は、少なくとも２種類以上の光パルス波形で同時に発光し、被検体に１回光パルスを照射する構成にも適応できる。以下の実施形態ではまた、ハンドヘルド型プローブを有する光音響装置を取り上げているが、本発明は、ステージにプローブを設けて機械的にスキャンする光音響装置にも適用できる。さらに、以下の実施形態では、ハンドヘルド型プローブ内部に複数の半導体の発光素子を実装し、光音響装置本体と配線により接続された装置について説明する。但し、本実施形態はハンドヘルド型プローブに電池等の電源を有し、ハンドヘルド型プローブの光音響信号を光音響装置本体に無線により送信する光音響装置にも適用できる。このように本発明の機能をハンドヘルド型プローブが有する場合は、本発明の光音響装置は、ハンドヘルド型プローブ自体を意味すると言える。
【００１７】
＜第１の実施形態＞
まず、本実施形態の基本的な考え方を以下に説明する。
【００１８】
図１は本実施形態の基本的な考え方をわかりやすく説明するための光パルス波形と光音響信号の関係を示すグラフである。図１（ａ）（ｃ）は光パルス波形を示したグラフであり、縦軸が光強度、横軸が時間である。図１（ｂ）（ｄ）はそれぞれ、図１（ａ）（ｃ）に示した光パルス波形で被検体を照射した場合に、得られる光音響波の周波数スペクトルをシュミレーションしたグラフであり、縦軸が光音響波の強度、横軸が周波数ある。図１（ａ）に示した様に、パルス幅が短い（１００ｎｓｅｃ）光パルスを照射した場合には、図１（ｂ）に示した様に、光音響波の周波数スペクトルのピーク値が約７．５ＭＨｚとなる。一方、図１（ｃ）に示した様に、パルス幅が長い（２００ｎｓｅｃ）光パルスを照射した場合には、図１（ｄ）に示した様に、光音響波の周波数スペクトルのピーク値が約３．７５ＭＨｚとなる。
【００１９】
第１の実施形態ではこの様な、光パルス波形が異なる光パルスを被検体に同時に照射し得られた光音響信号から、光音響信号に基づく情報を得る。例えば、１２個の半導体発光素子からなる光照射部があった場合、そのうち、６個を図１（ａ）に示した光パルス波形の光パルスで発光し、残りの６個で、図１（ｃ）に示した光パルス波形の光パルスで同時に発光し、被検体を照射する。その結果、図１（ｂ）に示した光音響波の周波数スペクトルと、図１（ｄ）に示した光音響波の周波数スペクトルの加算した光音響波の周波数スペクトルとなる光音響信号を得ることができる。具体的には、図１（ａ）と図１（ｃ）に示した光パルス波形の光パルスを同時に発光した光パルス波形を図１（ｅ）に示す。ここで同時とは、各々の光パルス波形のピークの時刻を合わせ照射することを言う。図１（ｅ）において、縦軸が光強度、横軸が時間である。図１（ｆ）は、図１（ｅ）に示した光パルス波形で被検体を照射した場合に、得られる光音響波の周波数スペクトルをシュミレーションしたグラフであり、縦軸が光音響波の強度、横軸が周波数ある。図１（ｆ）に示した様に、図１（ａ）と図１（ｃ）に示した光パルス波形を同時に発光し、被検体を照射した場合、光音響波のピーク周波数は約４．２５ＭＨｚ、−６ｄＢとなる帯域幅は約１．２５ＭＨｚから約１０ＭＨｚとなる。この特性は、図１（ｄ）に示した、光音響波のピーク周波数は約３．７５ＭＨｚ、−６ｄＢとなる帯域幅は約１．２５ＭＨｚから約６．２５ＭＨｚである周波数特性の高域側を広げた特性となる。一方、図１（ｂ）に示した光音響波のピーク周波数が約７．５ＭＨｚ、−６ｄＢとなる帯域幅は約２ＭＨｚから約１２．７５ＭＨｚである。このような周波数特性では、高域側の特性は十分に広いが、低域成分のレベルが低く、０．７５ｍｍより太い血管の視認性が悪くなる恐れがある。
【００２０】
また、例えば、不図示のパルス幅３００ｎｍの光パルス波形をさらに同時に照射してもよい。例えば、１２個の半導体発光素子を含み構成される光照射部があった場合を考える。１２個のうち、４個を図１（ａ）に示したパルス波形で発光し、４個で、図１（ｃ）に示したパルス波形で同時に発光し、残りの４個で、不図示のパルス幅３００ｎｍのパルス波形の光を同時に発光し、被検体に照射するとよい。このように照射すると、さらに、低域側の光音響波の強度を大きくすることが可能である。
【００２１】
また、別の方法として、光強度を制御することにより、光音響波の周波数スペクトルを容易に変更することもできる。例えば、１２個の半導体発光素子からなる光照射部があった場合、そのうち、６個を図１（ａ）に示した光パルス波形の光パルスで被検体を照射し、残りの６個を図１（ｃ）に示した光パルス波形の２倍の光強度の光パルスで同時に発光し、被検体を照射する。この光パルス波形を図１（ｇ）に示す。その結果、図１（ｂ）に示した光音響波の周波数スペクトルと、図１（ｄ）に示した光音響波の周波数スペクトルを１：２の重みをつけ加算した光音響波の周波数スペクトルとなる光音響信号を得ることができる。図１（ｈ）に光音響波の周波数スペクトルを示す。この場合、図１（ｃ）に示した光パルス波形の光パルスで被検体を照射する光強度が大きくなるので、図１（ｆ）で示した光音響波の周波数スペクトルの高域成分をさらに大きくすることができる。図１（ｈ）に示すように、光音響波のピーク周波数は約５．２５ＭＨｚ、−６ｄＢとなる帯域幅は約１．５ＭＨｚから約１２．７５ＭＨｚとなる。この特性は、図１（ｆ）に示した、光音響波のピーク周波数は約４．２５ＭＨｚ、−６ｄＢとなる帯域幅は約１．２５ＭＨｚから約１０ＭＨｚとなる特性に比べ、高域の帯域を大きく広げることができる。
【００２２】
また、光強度を制御する他の方法として、光照射部の各々の光パルス波形の光パルスを発光する半導体発光素子の数を増減し制御してもよい。すなわち、ひとつひとつの半導体発光素子が発光する光強度が同じであっても、発光する半導体発光素子の数を増減することによって、被検体に照射する光パルスの光強度を制御できる。具体的には、１２個の半導体発光素子からなる光照射部があった場合、そのうち、４個を図１（ａ）に示した光パルス波形の光パルスで被検体を照射し、残りの８個を図１（ｃ）に示した光パルスで同時に発光する。このように制御しても、半導体発光素子を制御することと同様な光音響波を得ることができる。このような制御であれば、半導体発光素子自体の光強度をアナログ的に可変する構成では無いので、回路構成が容易となる。
【００２３】
さらに、本発明の実施形態において、２種類以上の光パルス波形を有する光パルスにより得られる光音響波の周波数スペクトルのピーク値の周波数が異なるように、光パルス波形の形状を設定する。それにより、光音響波の周波数スペクトルをより容易に調整できるため好適である。光音響波の周波数スペクトルのピーク値の周波数を異なるようにするためには、光パルス波形が三角波の場合、パルス幅が異なる光パルス波形の形状とするとよい。具体的には、１００ｎｓｅｃから１０００ｎｓｅｃのパルス幅から選択するとよい。例えば、１００ｎｓｅｃのパルス幅と２００ｎｓｅｃのパルス幅の三角波を用いてもよいし、２００ｎｓｅｃと３００ｎｓｅｃのパルス幅の三角波を用いてもよい。また上記３つの三角波を用いてもよい。
【００２４】
また、図１（ｉ）に示した様な、立ち上がり時間１００ｎｓｅｃ、立ち下がり時間５０ｎｓｅｃの非対称な光パルス波形の光パルスを用いてもよい。この場合、図１（ｊ）に示した様な光音響波の周波数スペクトルとなる。このような特性であることを考慮すれば、本発明に適応できることは言うまでもない。本発明で適応できる光パルス波形は、どのような形状であってもかまわない。
【００２５】
以上、光照射部の複数の半導体発光素子の内、少なくとも２種類以上の光パルス波形で同時に発光することによって、光音響波の周波数スペクトルの制御が可能であることを説明した。
【００２６】
本実施形態により、例えば、特開２０１６−４７１１４号公報に開示されているように、光パルスの合成波形の周波数が検出部（受信部）の受信感度が最大となる周波数に近づくように、光音響波の周波数スペクトルを適合させることができる。そのために、同時に発光する光パルス波形の形状や光量を設定してもよい。プローブが交換できる光音響装置の場合は、プローブの受信部の周波数特性に合わせ、同時に発光する光パルス波形の形状や光量の制御を行うと好適である。また、注目すべき被検体の領域の血管の太さにより決まる光音響波の周波数スペクトルに合わせ、同時に発光する光パルス波形の形状や光量を設定してもよい。また、ユーザーの指示により、光音響波の周波数スペクトルの制御が行えるようにするため、同時に発光する光パルス波形の形状や光量を制御してもよい。例えば、ユーザーが細かな血管を注視したい場合は、光音響波の周波数スペクトルの高域を持ちあげるように、同時に発光する光パルス幅を短く設定するとよい。さらに、注目すべき被検体の領域が被検体の深部にある場合、光音響信号の高い周波数の減衰が大きくなるので、光音響波の周波数スペクトルの高域を持ちあげるように、コンピュータが自動で同時に発光する光パルス波形の形状を設定する構成としてもよい。また、ハンドヘルド型プローブに圧力センサ等を設け、プローブの被検体への押しつけ力を測定し、押しつけ力の大きさによって、コンピュータが同時に発光する光パルス波形の形状を変更してもよい。例えば、ユーザーが細部の観察を行う場合、無意識に強くプローブを押しつけることがある。押しつける力が大きい場合は、同時に発光する光パルス幅を短く設定し、光音響波の周波数スペクトルの高域を持ちあげるとよい。
【００２７】
以上説明した様に、光照射部から照射されるパルス光により生じる光音響信号に基づく情報を取得する光音響装置において、光照射部から照射されるパルス光の内、少なくとも２種類以上の光パルス波形で同時に発光させる。そして、そのような発光をすることによって、所望の光音響信号の周波数特性に基づく情報を得ることが可能となる。本発明の以下の説明では、複数回、３種類以上の光パルス波形で同時に発光し、得られた光音響信号を加算平均した実施形態を示すが、上述した他の発光制御する構成にも適応できる。
【００２８】
（光音響装置の構成）
図２に、本実施形態に係る光音響装置１のブロック図を示す。以下、図２のブロック図を用いて、本実施形態に係る光音響装置１は、パルス光を被検体１００に照射する複数の光照射部２００と、複数の光照射部２００から被検体に略同時にパルス光が照射されるように複数の光照射部を制御する制御部１５３を有する。ここで、「略同時に」とは、パルス光が被検体に照射される時刻が同一の場合だけに限らず、本発明の効果が得られる程度に、照射時刻がずれている場合も含む。
【００２９】
そして、被検体１００にパルス光が照射されることによって生じる音響波を受信して電気信号に変換する受信部１２０と、変換された電気信号に基づいて、被検体１００に関する情報を取得する取得部１５１を有する。そして、制御部１５３は、複数の光照射部２００から照射されるパルス光のパルス波形が互いに異なるように、光照射部２００を制御する。前述のように、複数の光照射部２００から被検体に照射されるパルス光のパルス波形が異なることで、それぞれのパルス光によって生じる音響波の周波数は互いに異なる。そのため、被検体に照射するパルス光のパルス波形の種類を増やすことで、検出される音響波の周波数帯域を広くできる。その結果、被検体に分布する光吸収体のうち、低周波数の音響波に対応するサイズの大きい物質から、高周波数の音響波に対応するサイズの小さい物質の情報まで取得することができる。
【００３０】
なお、本実施形態において、パルス波形が異なるとは、典型的にはパルス幅が異なる場合であるが、それに限られない。
【００３１】
また、本実施形態において、制御部１５３は、複数の光照射部２００から照射されるパルス光のピーク強度が互いに異なるように、光照射部２００を制御してもよい。
【００３２】
また、光照射部２００は複数の半導体発光素子を含み構成されていてもよい。この場合、制御部１５３は、発光素子の発光強度を制御することで、パルス光のピーク強度を制御してもよいし、複数の発光素子のうち発光させる発光素子の個数を制御することで、パルス光のピーク強度を制御してもよい。
【００３３】
本実施形態に係る光音響装置は、プローブ１８０、信号収集部１４０、コンピュータ１５０、表示部１６０、入力部１７０を有する。プローブ１８０には、光照射部２００、駆動部２１０と受信部１２０が含まれる。コンピュータ１５０には、１５１、記憶部１５２、制御部１５３が含まれる。なお、プローブ１８０を除くケーブルで接続された部分を光音響装置本体と記すこともできる。
【００３４】
本実施形態において光照射部２００は、光源部を含み構成されていてもよい。また、光源部が複数の半導体発光素子を含み構成されていてもよい。光音響信号のＳ／Ｎ非を向上するために複数回発光し、光音響信号を取得し加算平均する。なお、本発明の効果を実現するためには、半導体発光素子の発光は１回であってもよい。駆動部２１０は、光照射部２００の複数の半導体発光素子の発光を、前述した少なくとも２種類以上の光パルス波形となるように駆動する。駆動部２１０は光源２００の光パルス波形を半導体発光素子毎に制御して発光する。光パルス波形は、前述したように決定するとよい。
【００３５】
駆動部２１０は光源２００の複数の半導体発光素子を少なくとも２種類以上の光パルス波形のグループに分け、同時に発光させる。そして、光源２００は２種類以上の光パルス波形で被検体１００を同時に照射する。受信部１２０は、複数の半導体発光素子の発光によって被検体１００から発生した光音響波を受信して、アナログ信号である電気信号（光音響信号）を出力する。信号収集部１４０は、各々の発光における受信部１２０から出力されたアナログ信号をデジタル信号に変換し、コンピュータ１５０に出力する。
【００３６】
コンピュータ１５０は、取得部１５１、記憶部１５２、制御部１５３を用いて、各々の発光における信号収集部１４０から出力されたデジタル信号から、光音響波に由来する電気信号（合成された光音響信号）として記憶部１５２に記憶する。なお、Ｓ／Ｎ比向上のためには、複数回光パルスを発光し、加算平均するとよい。
【００３７】
コンピュータ１５０は、記憶部１５２に記憶されたデジタル信号に対して画像再構成などの処理を行うことにより、光音響画像データを生成する。そして、光音響画像データは、表示部１６０で表示される。
【００３８】
また、コンピュータ１５０はこれらの装置全体の動作の制御や光パルス波形の設定・発光制御も行う。
【００３９】
不図示ではあるが、コンピュータ１５０は、必要に応じて、得られた光音響画像データに対して表示のための画像処理やＧＵＩのためのグラフィックを合成する処理を行ってもよい。
【００４０】
ユーザー（医師や技師等）は、表示部１６０に表示された光音響画像を確認することにより、診断を実施できる。表示画像は、ユーザーやコンピュータ１５０からの保存指示に基づいて、コンピュータ１５０内のメモリや、光音響装置とネットワークで接続されたデータ管理システムなどに保存されてもよい。入力部１７０は、ユーザーからの指示などを受け付ける。
【００４１】
（各ブロックの詳細構成）
続いて、各ブロックの好ましい構成について詳細に述べる。
【００４２】
（プローブ１８０）
図３は、第１の実施形態のプローブ１８０の構造を示す図である。
【００４３】
図３において、プローブ１８０は、光照射部２００、駆動部２１０、受信部１２０、及び、ハウジング１８１を含む。ハウジング１８１は、光照射部２００、駆動部２１０、及び受信部１２０を囲う筺体である。ユーザーは、ハウジング１８１を把持することにより、プローブ１８０をハンドヘルド型プローブとして利用できる。
【００４４】
光照射部２００は、光パルスを被検体に照射する。光照射部２００は前述したように、駆動部２１０により、光パルス発光毎に所望の光パルス波形で光パルスを発光する。
【００４５】
なお、図中のＸＹＺ軸は、プローブを静置した場合の座標軸を示すものであり、プローブ使用時の向きを限定するものではない。
【００４６】
図３に示すプローブ１８０は、ケーブル１８２を介して、信号収集部１４０と繋がっている。ケーブル１８２は、光照射部２００に電力を供給する配線や、発光制御信号配線や、受信部１２０から出力されたアナログ信号を信号収集部１４０に出力する配線を含む。ケーブル１８２にコネクタを設け、プローブ１８０と光音響装置のその他の構成とを分離できる構成としてもよい。
【００４７】
（光照射部２００）
本実施形態における光照射部は、光源から発生するパルス光を被検体に照射する。
【００４８】
例えば、光照射部２００は、半導体発光素子（例えばレーザダイオード）１６個で構成される。半導体発光素子の種類はレーザダイオード（ＬＤ）に限るものではなく、発光ダイオード（ＬＥＤ）であってもよい。半導体発光素子の種類や個数は必要な光強度から決定する。８個のレーザダイオード（２００ａ〜２００ｈ）と８個のレーザダイオード（２００ｉ〜２００ｐ）は、受信部１２０を挟み、対向して配置される。そして検体に対して光を照射する。各々のレーザダイオードは受信部２００の最大感度方向に向けて実装される。すなわち、図３に示した様にレーザダイオード（２００ａ〜２００ｈ）とレーザダイオード（２００ｉ〜２００ｐ）は受信部１２０の方向に向くように角度を付け実装する。また図３では、受信部２００を挟むような実装配置を示したが、片側に光源を集めた配置であってもよい。さらに、レーザダイオードの使用個数が１６個より多くともよい。また、図３ではディスクリート部品を並べた実装形態を示したが、半導体ウエハを切り出したダイを金属ベースやプリント基板に複数実装した構成であってもよい。レーザダイオードの配置は、この配置に限定するものではない。被検体に良好に光パルスを照射できれば、プローブの形状等の条件によりどのような配置で実装してもかまわない。
【００４９】
光照射部２００が発光する光のパルス幅は、例えば１０ｎｓ以上、１μｓ以下である。より好適には、１００ｎｓ以上、８００ｎｓ以下が好適である。また、光照射部２００の光の波長としては、４００ｎｍ以上、１６００ｎｍ以下が好適であるが、画像化したい光吸収体の光吸収特性に応じて波長を決定するとよい。血管を高解像度でイメージングする場合は、血管での吸収が大きい波長（４００ｎｍ以上、８００ｎｍ以下）を用いてもよい。生体の深部をイメージングする場合には、生体の背景組織（水や脂肪など）において吸収が少ない波長（７００ｎｍ以上、１１００ｎｍ以下）の光を用いてもよい。本発明では、所望の波長として血管の構造情報が取得でき、被検体の深部まで届く波長である９７５ｎｍとし、上記条件を満たす複数の他の波長の光源を同時に照射することにより、所望の波長の照射による光音響波と等価な光音響波を得ることができる。
【００５０】
（駆動部２１０）
図４（ａ）（ｂ）に第１の実施形態の駆動部２１０の構成をそれぞれ示す。どちらの構成であっても好適に本発明に対応できる。初めに、図４（ａ）で示した駆動部２１０の構成を説明する。図４（ａ）において、光照射部２００は２組の直列接続された複数の半導体発光素子（レーザダイオード）２００Ａ、２００Ｂから構成されている。例えば、直列接続された複数の半導体発光素子２００Ａは８個のレーザダイオード（２００ａ〜２００ｈ）、直列接続された複数の半導体発光素子２００Ｂが８個のレーザダイオード（２００ｉ〜２００ｐ）に対応する。また別の構成では、直列接続された複数の半導体発光素子２００Ａと直列接続された複数の半導体発光素子２００Ｂは互いに受信部１２０を挟み交互に実装されていてもよい。前者の場合、最短距離で、直列接続された複数の半導体発光素子間の配線が行え、極力インダクタンス成分を少なくできる利点がある、一方、後者の場合、各々の光パルス波形の光パルスが被検体にほぼ均一に照射できる利点がある。
【００５１】
２１０ａ、２１０ｂは例えばＭＯＳＦＥＴ等のトランジスタであり、光照射部２００の直列接続された複数の半導体発光素子２００Ａ、２００Ｂに流れる電流をそれぞれ異なったパルス幅で制御する。２１０ｃは電源であり、光照射部２００の半導体発光素子に電力を供給する。ここで、電源２１０ｃは、ハンドヘルド型プローブの場合、プローブ外部の光音響装置本体に実装され、電力を供給する形態であってもかまわない。この場合は、電源のインピーダンス（インダクタンス成分）を下げるために、プローブ内に不図示のバイパスコンデンサ等を実装するとよい。トランジスタ２１０ａ、２００ｂのゲート電圧を制御することにより所望の光パルス波形に対応する光照射部２００の直列接続された複数の半導体発光素子２００Ａ、２００Ｂに流れる２種類の電流波形を得ることができる。このような駆動部２１０を実現することによって、前述した少なくとも２種類以上の光パルス波形で同時に発光することを実現することができる。
【００５２】
駆動部２１０の他の構成を図４（ｂ）に示す。図４（ｂ）においても、光照射部２００は２組の直列接続された複数の半導体発光素子（レーザダイオード）（２００Ａ、２００Ｂ）から構成されている。
【００５３】
２１０ａ、２１０ｂは例えばＭＯＳＦＥＴ等のトランジスタであり、それぞれ光照射部２００の直列接続された複数の半導体発光素子２００Ａ、２００Ｂに流れる電流をそれぞれ異なったパルス幅でＯＮ／ＯＦＦ制御する。
【００５４】
２１０ｄ、２１０ｅはインダクタであり、例えば、コイルや、プリント基板の配線等で実現する。直列接続された複数の半導体発光素子２００Ａ、２００Ｂを異なるパルス幅で制御する場合には、インダクタ２１０ｄ、２１０ｅのインダクタンスを異なるよう設計する。パルス幅を短くする場合は、インダクタンスを少なくするとよい。２１０ｆ、２１０ｇはダイオードであり、トランジスタ２１０ａ、２１０ｂがＯＦＦした際、インダクタ２１０ｄ、２１０ｅに流れる電流をインダクタ２１０ｄ、２１０ｅに戻す。２１０ｈは可変電圧電源である。ここで、各々のパルス幅の設定により自由度を待たす場合は可変電圧電源２１０ｈを２系統とし、独立に電圧を設定できるようにする。また、ハンドヘルド型プローブの場合、可変電圧電源２１０ｈは、プローブ外部の光音響装置本体に実装してもよい。この場合は、電源のインピーダンス（インダクタンス成分）を下げるために、プローブ内に不図示のバイパスコンデンサ等を実装する。図４（ｂ）の構成で、トランジスタ２１０ａがＯＮする場合を考える。このとき、光照射部２００の直列接続された複数の半導体発光素子２００Ａの順方向電圧の和の電圧とトランジスタ２１０ａがＯＮ時のドレイン―ソース間電圧の合計の電圧と、可変電圧電源２１０ｈの出力電圧との差の電圧が、インダクタ２１０ｄに印加される。インダクタ２１０ｄに流れる電流の傾きはインダクタ２１０ｄに加わる電圧と、インダクタ２１０ｄのインダクタンスによって決定できる。すなわち、インダクタンスが固定であれば、可変電圧電源２１０ｈの電圧を高くすれば、インダクタ２１０ｄに流れる電流の傾きを大きくできる。すなわち、光照射部２００の直列接続された複数の半導体発光素子２００Ａに流れる電流の傾きを制御できる。そして、光パルス波形の立ち上がり波形を決定することができる。トランジスタ２１０ａがＯＦＦすると、インダクタ２１０ｄに加わる電圧は、直列接続された複数の半導体発光素子２００Ａの順方向電圧の和の電圧とダイオード２１０ｆの順方向電圧の合計の電圧となる。この電圧とインダクタ２１０ｄのインダクタンスによって、インダクタ２１０ｄに流れる電流の傾きが決まる。すなわち、光パルス波形の立ち下がり波形が決まる。例えば、トランジスタ２１０ａがＯＮ時のドレイン―ソース間電圧や、ダイオード２１０ｆの順方向電圧が、直列接続された複数の半導体発光素子２００Ａの順方向電圧の和の電圧より十分小さい場合を考える。その場合、直列接続された複数の半導体発光素子２００Ａの順方向電圧の和の電圧の２倍の電圧に可変電圧電源２１０ｈの出力電圧を設定すればよい。このような設定により、直列接続された複数の半導体発光素子２００Ａに流れる電流の立ち上がり波形と立ち下がり波形の傾きを同じにできる。よって、光パルス波形の立ち上がり波形と立ち下がり波形の傾きをほぼ同じにできる。また、ダイオード２１０ｆのアノードをインダクタ２１０ｄの他方の電極に接続することによって、トランジスタ２１０ａをＯＦＦした際、直列接続された複数の半導体発光素子２００Ａに流れる電流の立ち下がり時間を短くすることもできる。この様に、インダクタ２１０ｄと可変電源２１０ｈを用いて、所望の光パルス波形を得ることが可能である。
【００５５】
同様に、光照射部２００の直列接続された複数の半導体発光素子２００Ｂに流れる電流の立ち上がり波形と立ち下がり波形の傾き、すなわち光パルス波形も、インダクタ２１０ｅと可変電源２１０ｈを用いて、所望の波形に制御できる。
【００５６】
（受信部１２０）
受信部１２０は、光照射部２００の発光に伴い発生する光音響波を受信して電気信号を出力するトランスデューサと、トランスデューサを支持する支持体とを含む。トランスデューサを構成する部材として例えば、圧電材料、静電容量型トランスデューサ、ファブリペロー干渉計を用いたトランスデューサなどを使用できる。圧電材料として例えば、ＰＺＴ（チタン酸ジルコン酸鉛）等の圧電セラミック材料や、ＰＶＤＦ（ポリフッ化ビニリデン）等の高分子圧電膜材料がある。なお、静電容量型トランスデューサはＣＭＵＴ（Ｃａｐａｃｉｔｉｖｅ  Ｍｉｃｒｏ−ｍａｃｈｉｎｅｄ  Ｕｌｔｒａｓｏｎｉｃ  Ｔｒａｎｓｄｕｃｅｒｓ）と呼ばれることがある。
【００５７】
発光部２００の発光毎にトランスデューサにより得られる電気信号は時間分解信号である。そのため、電気信号の振幅は、各時刻にトランスデューサで受信される音圧に基づく値（例えば、音圧に比例した値）を表している。なお、トランスデューサとしては、光音響波を構成する周波数成分（典型的には１００ＫＨｚから１０ＭＨｚ）を検出できるものが好ましい。また、支持体に複数のトランスデューサを並べて配置して、１Ｄアレイ、１．５Ｄアレイ、１．７５Ｄアレイ、または２Ｄアレイと呼ばれるような平面や曲面を形成することも好ましい。なお、図３では一例として、１Ｄアレイのトランスデューサを模式的に示している。
【００５８】
受信部１２０が、トランスデューサから出力される時系列のアナログ信号を増幅する増幅器を備えてもよい。また、受信部１２０が、トランスデューサから出力される時系列のアナログ信号を時系列のデジタル信号に変換するＡ／Ｄ変換器を備えてもよい。すなわち、受信部１２０が信号収集部１４０を備えてもよい。
【００５９】
なお、音響波を様々な角度から検出して画像精度を向上させるためには、被検体１００を全周囲から囲むようなトランスデューサ配置が好ましい。また、全周囲を囲めないほど被検体１００が大きい場合は、半球状の支持体上にトランスデューサを配置してもよい。このような形状の受信部１２０を備えるプローブ１８０は、ハンドヘルド型ではなく、プローブを被検体１００に対して相対移動させる機械走査型の光音響装置に好適である。プローブの移動には、ＸＹステージなどの走査部を用いればよい。なお、トランスデューサの配置および数、ならびに支持体の形状は、上記に限定されず、被検体１００に応じて最適化すればよい。
【００６０】
受信部１２０と被検体１００との間の空間には、光音響波を伝搬させる媒質を配置するとよい。これにより、被検体１００とトランスデューサの界面における音響インピーダンスが整合する。媒質として例えば、水、油、超音波ジェルなどがある。
【００６１】
光音響装置１は、被検体１００を保持して形状を安定させる保持部材を備えていてもよい。保持部材としては光透過性と音響波透過性がともに高いものが好ましい。例えば、ポリメチルペンテンやポリエチレンテレフタレート、アクリルなどを利用できる。
【００６２】
本実施形態に係る装置が、光音響画像に加えて、音響波の送受信により超音波画像も生成する場合、トランスデューサは、音響波を送信する送信手段として機能してもよい。受信手段としてのトランスデューサと送信手段としてのトランスデューサとは、単一（共通）のトランスデューサでもよいし、別々の構成であってもよい。
【００６３】
（信号収集部１４０）
信号収集部１４０は、発光部２００の発光毎に発生する受信部１２０から出力されたアナログ信号である電気信号を増幅するアンプと、アンプから出力されたアナログ信号をデジタル信号に変換するＡ／Ｄ変換器とを含む。信号収集部１４０は、ＦＰＧＡ（Ｆｉｅｌｄ  Ｐｒｏｇｒａｍｍａｂｌｅ  Ｇａｔｅ  Ａｒｒａｙ）チップなどで構成されてもよい。
【００６４】
更に詳細に信号処理部１４０の動作を説明する。受信部１２０のアレイ状に配置された複数のトランスデューサが出力したアナログ信号は、各々に対応する複数のアンプにより増幅され、各々に対応する複数のＡ／Ｄ変換器でデジタル信号に変換される。Ａ／Ｄ変換レートは入力される信号の帯域の少なくとも２倍以上で行う。前述した様に、光音響波の周波数成分が１００ＫＨｚから１０ＭＨｚであれば、Ａ／Ｄ変換レートは２０ＭＨｚ以上、望ましくは４０ＭＨｚの周波数で変換を行う。なお、信号収集部１４０は、発光制御信号を用いることにより、光照射のタイミングと信号収集処理のタイミングを同期化する。すなわち、発光部２００の発光毎に発光時刻を基準にして、上述したＡ／Ｄ変換レートでＡ／Ｄ変換を開始し、アナログ信号をデジタル信号に変換する。その結果、発光部２００の発光毎に発光時刻からＡ／Ｄ変換レート分の１の時間間隔（Ａ／Ｄ変換間隔）毎のデジタルデータ列が複数のトランスデューサ毎に取得できる。この際、発光時刻は光パルス波形のピークとなる時刻を基準に決めるとよい。
【００６５】
信号収集部１４０は、Ｄａｔａ  Ａｃｑｕｉｓｉｔｉｏｎ  Ｓｙｓｔｅｍ（ＤＡＳ）とも呼ばれる。本明細書において電気信号は、アナログ信号もデジタル信号も含む概念である。
【００６６】
上述したように、信号収集部１４０をプローブ１８０のハウジング１８１の内部に配置してもよい。このような構成であれば、プローブ１８０とコンピュータ１５０との間の情報がデジタル信号で伝搬されるため、耐ノイズ性が向上する。また、アナログ信号を伝送する場合に比べ、高速デジタル信号を用いることによって、配線数を少なくすることが可能となり、プローブ１８０の操作性が向上する。
【００６７】
また、後述する加算平均も信号収集部１４０で行ってもよい。この場合ＦＰＧＡ等のハードウェアを用いて加算平均を行うと好適である。
【００６８】
（コンピュータ１５０）
コンピュータ１５０は、取得部１５１、記憶部１５２、制御部１５３を含む。取得部１５１としての演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成できる。これらのユニットは、単一のプロセッサや演算回路から構成されてもよいし、複数のプロセッサや演算回路から構成されてもよい。
【００６９】
例えば、コンピュータ１５０は、光照射部２００の直列接続された複数の半導体発光素子に対して、２種類以上の光パルス波形で駆動するように駆動部２１０に駆動する波形を設定する。また、コンピュータ１５０は、前述した少なくとも２種類以上の光パルス波形の各々の光強度を設定する光強度設定手段でもある。また、少なくとも２種類以上の光パルス波形で発光する半導体発光素子の発光数を制御する発光数設定手段でもある。
【００７０】
以降の実施形態では、半導体発光素子の発光数が同じで、一定の光強度で発光する実施形態について説明する。もちろん、前述した発光の他の制御についても対応することは可能である。
【００７１】
コンピュータ１５０は、発光部２００の発光毎に信号収集部１４０から出力される前述したデジタルデータ列の発光時刻から同時刻のデータ各々について加算平均する。そして、コンピュータ１５０は、加算平均化されたデジタルデータ列を、光音響波に由来する加算平均された電気信号（合成された光音響信号）として、記憶部１５２に記憶する。そして、取得部１５１は、記憶部１５２に記憶された合成された光音響信号に基づいて、画像再構成による光音響画像データ（構造画像や機能画像）の生成や、その他各種の演算処理を実行する。取得部１５１は、入力部１７０から、被検体音速や保持部の構成などの各種パラメータ入力を受け付けて、演算に用いてもよい。
【００７２】
取得部１５１が電気信号を３次元のボリュームデータに変換するときの再構成アルゴリズムとしては、タイムドメインでの逆投影法、フーリエドメインでの逆投影法、モデルベース法（繰り返し演算法）など、任意の手法を採用できる。タイムドメインでの逆投影法として、Ｕｎｉｖｅｒｓａｌ  ｂａｃｋ−ｐｒｏｊｅｃｔｉｏｎ（ＵＢＰ）、Ｆｉｌｔｅｒｅｄ  ｂａｃｋ−ｐｒｏｊｅｃｔｉｏｎ（ＦＢＰ）、または整相加算（Ｄｅｌａｙ−ａｎｄ−Ｓｕｍ）などが挙げられる。
【００７３】
なお、取得部は、複数の光照射部が複数回発光することで受信される音響波に基づいて得られる複数の電気信号を加算し、光照射部の発光回数で除する処理（加算平均処理）を行ってもよい。
【００７４】
記憶部１５２は、ＲＡＭ（Ｒａｎｄｏｍ  Ａｃｃｅｓｓ  Ｍｅｍｏｒｙ）などの揮発性のメモリや、ＲＯＭ（Ｒｅａｄ  ｏｎｌｙ  ｍｅｍｏｒｙ）、磁気ディスクやフラッシュメモリなどの非一時記憶媒体により構成される。なお、プログラムが格納される記憶媒体は、非一時記憶媒体である。また、記憶部１５２は、複数の記憶媒体から構成される。
【００７５】
記憶部１５２は、合成された光音響信号や、取得部１５１により生成される光音響画像データや、光音響画像データに基づいた再構成画像データなど、各種のデータを保存できる。
【００７６】
制御部１５３は、ＣＰＵなどの演算素子で構成される。制御部１５３は、光音響装置の各構成の動作を制御する。制御部１５３は、複数の光パルスの発光制御信号や光パルス波形の設定信号を駆動部２１０に送る。そして、指定された光パルス波形で半導体発光素子は発光し、被検体を照射する。制御部１５３は、光パルス波形を設定する光パルス波形設定手段でもある。
【００７７】
また、制御部１５３は、前述したように、ユーザーの指示、あるいは自動で、光パルス波形や光パルスの光強度や発光回数、光音響信号の増幅度等を制御する。また、制御部１５３は、記憶部１５２に格納されたプログラムコードを読み出し、光音響装置の各構成の動作を制御する。
【００７８】
また、制御部１５３は表示部１６０に対する画像の調整などを行う。これにより、プローブの移動と光音響測定に伴い順次、酸素飽和度分布画像が表示される。
【００７９】
コンピュータ１５０は本発明に専用に設計されたワークステーションであってもよい。コンピュータ１５０はまた、汎用的なＰＣやワークステーションを、記憶部１５２に格納されたプログラムの指示に従って動作させたものであってもよい。また、コンピュータ１５０の各構成は異なるハードウェアによって構成されてもよい。また、コンピュータ１５０の少なくとも一部の構成は単一のハードウェアで構成されてもよい。
【００８０】
図５は、本実施形態に係るコンピュータ１５０の具体的な構成例を示す。本実施形態に係るコンピュータ１５０は、ＣＰＵ１５４、ＧＰＵ１５５、ＲＡＭ１５６、ＲＯＭ１５７、外部記憶装置１５８から構成される。また、コンピュータ１５０には、表示部１６０としての液晶ディスプレイ１６１、入力部１７０としてのマウス１７１、キーボード１７２が接続されている。
【００８１】
また、コンピュータ１５０および受信部１２０は、共通の筺体に収められた構成で提供されてもよい。また、筺体に収められたコンピュータで一部の信号処理を行い、残りの信号処理を筺体の外部に設けられたコンピュータで行ってもよい。この場合、筺体の内部および外部に設けられたコンピュータを総称して、本実施形態に係るコンピュータとすることができる。すなわち、コンピュータを構成するハードウェアが一つの筺体に収められていなくてもよい。コンピュータ１５０として、クラウドコンピューティングサービスなどで提供される、遠隔地に設置された情報処理装置を用いても構わない。
【００８２】
コンピュータ１５１は、本発明の処理部に相当する。特に、取得部１５１が中心となって処理部の機能を実現する。
【００８３】
（表示部１６０）
表示部１６０は、液晶ディスプレイや有機ＥＬ（Ｅｌｅｃｔｒｏ  Ｌｕｍｉｎｅｓｃｅｎｃｅ）などのディスプレイである。コンピュータ１５０により得られた被検体情報（一例として、構造情報や機能情報）等に基づく画像や特定位置の数値等を表示する装置である。表示部１６０は、画像や装置を操作するためのＧＵＩを表示してもよい。表示部１６０またはコンピュータ１５０において画像処理（輝度値の調整等）を行ってもよい。
【００８４】
（入力部１７０）
入力部１７０としては、ユーザーが操作可能な、マウスやキーボード等で構成される操作コンソールを採用できる。また、表示部１６０をタッチパネルで構成し、表示部１６０を入力部１７０として利用してもよい。入力部１７０は、ユーザーからの指示や数値などの入力を受け付け、コンピュータ１５０に伝達する。
【００８５】
なお、光音響装置の各構成はそれぞれ別の装置として構成されてもよいし、一体となった１つの装置として構成されてもよい。また、光音響装置の少なくとも一部の構成が一体となった１つの装置として構成されてもよい。
【００８６】
また、コンピュータ１５０は、制御部１５３により、光音響装置に含まれる構成の駆動制御も行う。また、表示部１６０は、コンピュータ１５０で生成された画像の他にＧＵＩなどを表示してもよい。入力部１７０は、ユーザーが情報を入力できるように構成されている。ユーザーは、入力部１７０を用いて測定開始や終了、後述する照射モードの指定や、作成画像の保存指示などの操作を行うことができる。
【００８７】
（被検体１００）
被検体１００は光音響装置を構成するものではないが、以下に説明する。本実施形態に係る光音響装置は、人や動物の悪性腫瘍や血管疾患などの診断や化学治療の経過観察などを目的として使用できる。よって、被検体１００としては、生体、具体的には人体や動物の乳房や各臓器、血管網、頭部、頸部、腹部、手指および足指を含む四肢などの診断の対象部位が想定される。例えば、人体が測定対象であれば、オキシヘモグロビンあるいはデオキシヘモグロビンやそれらを含む多く含む血管あるいは腫瘍の近傍に形成される新生血管などを光吸収体の対象としてもよい。また、頸動脈壁のプラークなどを光吸収体の対象としてもよい。被検体として人体の場合、皮膚に含まれる色素のメラニンが、前述した妨害を発生する光吸収体となりうる。また、メチレンブルー（ＭＢ）、インドシニアングリーン（ＩＣＧ）などの色素、金微粒子、またはそれらを集積あるいは化学的に修飾した外部から導入した物質を光吸収体としてもよい。また、穿刺針や穿刺針に付された光吸収体を観察対象としてもよい。被検体は、ファントムや試験対象物などの無生物であってもよい。
【００８８】
（実施形態の動作）
次に、本発明の被検体情報取得装置は、少なくとも２種類以上の光パルス波形の光パルスを複数回被検体に照射し、照射毎に被検体内で発生した音響波を受信して、受信した光音響信号に基づいて被検体の特性情報を取得する。第１の実施形態では、２つの光パルス波形を、各８個の半導体発光素子が同時に発光する構成について、詳細な説明を以下に記す。
【００８９】
図６は、第１の実施形態における動作をわかりやすく説明するためのタイミング図である。図６において横軸は時間軸である。これらの制御は、コンピュータ１５０あるいはＦＰＧＡあるいは専用のハードウェアが行う。図６を用いて、本発明の光音響装置の光音響信号の取得と、取得された光音響信号に基づく光音響画像を生成する方法について詳細に説明する。
【００９０】
図６は、２種類の光パルス波形の光パルスを同時に発光し、得られた光音響信号から構造情報を得るタイミング図である。なお、血管の構造情報を取得する場合、光照射部２００の波長は、オキシヘモグロビンとデオキシヘモグロビンの吸収係数が等しくなる約７９５ｎｍを選ぶとよい。
【００９１】
半導体発光素子の光強度は少ないため、Ｓ／Ｎ向上を目的として、図６のＴ１に示すように、光音響装置は、光照射部２００の複数の半導体光発光素子を、照射周期：ｔｗ１間隔で繰り返し発光し、光音響信号を取得する。なお、照射周期：ｔｗ１の長さは、皮膚に対する最大露光許容量（ＭＰＥ：Ｍａｘｉｍｕｍ  Ｐｅｒｍｉｓｓｉｂｌｅ  Ｅｘｐｏｓｕｒｅ）を考慮して、設定する。例えば、照射周期ｔｗ１として０．１ｍＳｅｃを選ぶとよい。
【００９２】
図３に示した様に、光照射部２００は、半導体発光素子としてレーザダイオード１６個で構成される。そして、８個のレーザダイオード（２００ａ〜２００ｈ）は、図１（ａ）に示した光パルス波形で、レーザダイオード（２００ｉ〜２００ｐ）は、図１（ｃ）に示した光パルス波形で、照射周期：ｔｗ１間隔で繰り返し同時に発光し、光音響信号を取得する。ここで、レーザダイオードの配置や総数や２種類の光パルス波形で発光するレーザダイオードの数は、一例であり、他の構成であってもかまわない。必要な光強度や所望の周波数特性等から決定するとよい。
【００９３】
図６のＴ１では、図１（ａ）の光パルス波形と図１（ｃ）の光パルス波形の光パルスを同時に発光し、照射周期：ｔｗ１で光音響信号を１６８回取得し（（１）〜（４）…）、加算平均する。そして、加算平均された光音響信号Ａ１を撮像フレームレートの周期：ｔｗ２毎に得る。すなわち、前述したように、図１（ａ）の光パルス波形と図１（ｃ）の光パルス波形を同時に発光することにより、図１（ｅ）に示した光パルス波形と等価な光パルスを被検体に照射する。そして、図１（ｆ）に示した周波数スペクトルの光音響波を撮像フレームレートの周期：ｔｗ２毎に得ることができる。そして、得られた１６６個の光音響信号を加算平均し加算平均された光音響信号Ａ１を算出する。
【００９４】
次に、図６のＴ３に示すように、加算平均された光音響信号Ａ１を基に、前述した再構成のための処理を行い、再構成画像データＲ１を求める。そして、再構成画像データＲ１は、構造情報Ｓ１として、撮像フレームレートの周期：ｔｗ２は１６．６ｍｓｅｃで、順次、表示部１６０に出力され表示される（図６のＴ４）。なお、撮像フレームレートの周波数は約６０Ｈｚとなる。
【００９５】
光音響信号を１６６回取得し、加算平均する場合は、撮像フレームレートの周波数は約６０Ｈｚとなり、表示部１６０の表示フレームレートと合致するが、加算平均化回数が異なる場合、撮像フレームレートと表示フレームレートが合致しない場合がある。この場合は、不図示のフレームレート変換器を用い、撮像フレームレートを表示フレームレートに変換し、表示部１６０で表示すると良い。
【００９６】
以上説明した様に、光照射部２００の複数の半導体発光素子の内、少なくとも２種類以上の光パルス波形で同時に発光することによって、所定（所望）の光音響信号の周波数特性に基づく情報を得ることが可能となる。
【００９７】
その結果、より最適な光音響信号の周波数特性となる情報を得ることが可能となる効果がある。
【００９８】
また、第１の実施形態においては、２種類以上の異なる光パルス波形が同時に発光するように制御する構成であった。複数回発光し得られた光音響信号を加算平均する場合、複数回の発光の内、一部の発光を本発明の２種類以上の異なる光パルス波形が同時に発光するように制御し、他の発光を１種類の光パルス波形の光パルスで発光し、被検体を照射してもよい。このようにすると、１種類の光パルス波形による光音響波の周波数スペクトルと、２種類以上の異なる光パルス波形が同時に発光して得られた光音響波の周波数スペクトルを、発光回数で重みを付けた加算平均した光音響信号の周波数特性が得られる。
【００９９】
（その他の実施例）
第１の実施形態では、光照射部の複数の半導体発光素子の内、少なくとも２種類以上の光パルス波形で同時に発光し被検体を照射し、光音響信号を得る実施形態を説明した。前述したように、複数の半導体発光素子の内、各光パルス波形に対応する半導体発光素子の個数を変更してもよい。また、各光パルス波形の光パルスを発光する半導体発光素子の光強度を変更し、同時に発光し、光音響信号を得る構成であってもかまわない。
【０１００】
また、光照射部２００が発光する光の波長は、複数の波長を用いてもよい。複数の波長を用いた場合、機能情報としての酸素飽和度を算出することができる。本発明では、例えば撮像フレームレート毎に２波長を交互に切り換え光音響信号を取得し、再構成画像データを算出し、さらに、２つの撮像フレームレートで算出した再構成画像データより酸素飽和度を計算することができる。酸素飽和度の算出については、特開２０１５−１４２７４０号公報に詳しく記載されている。さらに、構造情報を得る際には本実施形態の２種類以上の光パルス波形で同時に被検体を照射し、広い周波数特性の情報を得る。そして、機能情報を得るための他の波長の光パルス波形はパルス幅を長くした１つの光パルス波形の形状としてもよい。このようにすることによって、構造情報は血管の太さにかかわらず鮮明に検出でき、機能情報は高域成分の無い情報を得ることができる。そして、機能情報は構造情報でマスクすることにより、詳細な情報とすることができる。
【０１０１】
また、以上に示した複数の実施形態を１つの光音響装置で実現し、切り換え使用できるようにしてもよい。さらに、本発明の光音響装置に、トランスデューサから超音波を送信し、反射波による測定を行う機能を追加実現してもよい。この場合、もちろん、光照射部２００は発光しない。
【符号の説明】
【０１０２】
１  光音響装置
１２０  受信部
１５１  取得部
１５３  制御部
２００  光照射部
【図１】
2019042003.tif 000003
【図２】
2019042003.tif 000004
【図３】
2019042003.tif 000005
【図４】
2019042003.tif 000006
【図５】
2019042003.tif 000007
【図６】
2019042003.tif 000008